(57)【特許請求の範囲】
【請求項１】
収穫した穀物を貯蔵ビンに収容し、外気を通風して乾燥しながら貯蔵する穀物の乾燥貯蔵装置において、貯蔵ビンは、一部ないし全体が中空二重壁構造であってその内壁と外壁との対向間隔を通気空間とし、かつこの通気空間を通して外気を貯蔵ビン内に吸引通風させる吸気機能を有しており、貯蔵ビンの中空二重壁構造の外壁は、垂直方向に波形状に形成されていて外面側の凹部が暖気の滞留空間を成し、この暖気の滞留空間の上側面を通気性としたことを特徴とする穀物の乾燥貯蔵装置。
【発明の詳細な説明】
【０００１】
【発明の属する技術分野】
本発明は、穀物を所定の水分に保ち、品質を損なうことなく長期間にわたって貯蔵するための穀物の乾燥貯蔵装置に関する。
【０００２】
【従来の技術】
従来、籾の貯蔵にあたっては、収穫し脱穀した籾を変質しにくい水分まで乾燥したうえ、カントリーエレベータのサイロや貯蔵ビンで貯蔵するが、貯蔵している籾の品質を良好に保つため、穀温を２０℃以下とし、さらに外気温の低下によりサイロや貯蔵ビン内で結露のおそれがある場合には、外気の通風による乾燥を施すことが行われている（特開平６−２６９６８７号公報または特開平６−２８１３３６号公報参照）。
【０００３】
【発明が解決しようとする課題】
ところで、地球温暖化防止、環境悪化の防止、さらには省エネルギーのうえから、穀物の乾燥にも太陽熱の利用が推進されているが、穀物の乾燥においては未だ全て太陽熱の利用だけでまかなうことができず、化石燃料の燃焼による加温手段を主にして太陽熱の利用を補助手段としているのが実情である。
【０００４】
そこで、本発明は、収穫した穀物の乾燥と貯蔵とを一貫したものとしてとらえ、長期間にわたる貯蔵中において太陽熱の効果的利用による加温乾燥を継続することにより、貯蔵前の乾燥を省力化して大幅な省エネルギーを実現するとともに、穀物を所定の水分に保ち、品質を損なうことなく長期間にわたって貯蔵することができる穀物の乾燥貯蔵装置を提供することを目的とするものである。
【０００５】
【課題を解決するための手段】
本発明に係る穀物の乾燥貯蔵装置は、収穫した穀物を貯蔵ビンに収容し、外気を通風して乾燥しながら貯蔵する穀物の乾燥貯蔵装置において、貯蔵ビンは、一部ないし全体が中空二重壁構造であってその内壁と外壁との対向間隔を通気空間とし、かつこの通気空間を通して外気を貯蔵ビン内に吸引通風させる吸気機能を有しており、貯蔵ビンの中空二重壁構造の外壁は、垂直方向に波形状に形成されていて外面側の凹部が暖気の滞留空間を成し、この暖気の滞留空間の上側面を通気性としたことを特徴とするものである。
【０００６】
【発明の実施の形態】
図１ないし図４において、１は貯蔵ビンである。この貯蔵ビン１は密閉状のものであって、その底壁２は多孔板で構成されていて下部通気面を成しており、中央に集中するように傾斜し、その中央の傾斜下端が穀物流出口３と成っている。穀物流出口３には穀物搬出コンベア４が接続されている。貯留ビン１は、底壁２の上が穀物貯留室５であり、底壁２の下は吸気室６である。７は複数の支脚である。貯留ビン１の頂部は穀物搬入口８と成っており、穀物搬入口８には穀物搬入樋９が接続されている。吸気室６には吸引排風機１０が接続されている。
【０００７】
貯蔵ビン１内の頂部には上記穀物搬入口８に対応して穀物均分装置１１が設けられている。この穀物均分装置１１は、回転放擲板１２を備えて成るものであり、１３はその駆動モータである。
【０００８】
貯蔵ビン１は、その全周面および上面が中空二重壁構造であって、内壁１４と外壁１５との対向間隔が通気空間１６と成っている。この通気空間１６は周面の下端が開口していて外気に通じており、貯留ビン１内の頂部で穀物貯留室５に連通している。貯蔵ビン１の中空二重壁構造の外壁１５は、微細孔１７を多数穿孔して成るものである。外壁１５は必ずしも断熱性を要求されないが、断熱蓄熱性にすぐれたものが好適である。
【０００９】
貯蔵ビン１の中空二重壁構造の外壁１５は、図３および図４に示すように、水平方向に波形状を成していて表面積を大きくした構成である。内壁１４は円筒状であるが、強度を増すために垂直方向に緩やかな波形状と成っている。
【００１０】
貯蔵ビン１の周囲は、図５に示すように、その外周囲を複数の円弧状覆体１８で囲む構成とすることができる。これらの円弧状覆体１８は、貯蔵ビン１の軸心に対して円周方向に回転させることができ、図５に示すように、朝、昼、夕の貯蔵ビン１に対する日照の状態などに応じて貯蔵ビン１に取り入れる太陽熱をコントロールすることができるようにしてある。
【００１１】
図６または図７は、それぞれ本発明の実施の形態であるが、図６の構成は、貯蔵ビン１の中空二重壁構造の外壁１５を、垂直方向に波形状に形成してあり、その外面側の凹部が太陽熱により暖められた暖気の滞留空間１９を成している。そして、この暖気の滞留空間１９の上側面に微細孔１７を穿孔してある。なお、その他の構成は図１ないし図４に示すものと同構成である。
【００１２】
図７に示すものは、図６のものと大略同構成であるが、外側面の凹部で成る暖気の滞留空間１９の上面を略水平状にしてあり、暖気の滞留空間１９に暖気が多く滞留し、かつ滞留した暖気が逃げにくいようにしている。なお、その他の構成は図１ないし図４に示すものと同構成である。
【００１３】
穀物の貯蔵にあたっては、予備乾燥した穀物を穀物搬入樋９により穀物搬入口８から貯蔵ビン１に搬入し、穀物貯留室５に所定量堆積貯蔵する（図１参照）。そして、貯蔵中は、所定の条件にしたがって吸引排風機１０を運転して、通気空間１６を通して外気を吸引し、貯蔵中の穀物層に流通させる。なお、貯蔵中の穀物は必要に応じて適宜循環させてもよい。
【００１４】
ところで、中空二重壁構造を成す貯蔵ビン１に太陽光線が照射されると、その外壁１５の外側面に沿った外気が太陽熱で暖められ、その暖気は外壁１５の外側面に沿って滞留する。そして、その滞留する暖気は吸引排風機１０による吸引作用によって多数の微細孔１７を有する面から通気空間１６に導入され、通気空間１６に吸引される外気と混合して加温空気となり、貯蔵中の穀物層に流通して太陽熱の利用による加温空気により通風乾燥が行われる。
【００１５】
図６または図７に示す本発明の実施の形態のものは、貯蔵ビン１の中空二重壁構造の外壁１５を、垂直方向に波形状に形成してあって、その外面側の凹部が太陽熱により暖められた暖気の滞留空間１９を成しており、しかも、この暖気の滞留空間１９の上側面に微細孔１７を穿孔してあるので、太陽熱により暖められた暖気は、暖気の滞留空間１９に滞留して逃げにくいうえ、滞留する暖気は上昇して暖気の滞留空間１９の上側面から多数の微細孔１７を通して効率よく通気空間１６に取り込まれる。このため、これら本発明の実施の形態によれば、太陽熱の利用効率が大幅に向上する。
【００１９】
以上のように、本発明に係る実施の形態によれば、穀物の貯蔵中においても太陽熱を効果的に利用して通風乾燥を施すことができるので、貯蔵ビン１に貯蔵する前の予備乾燥を簡略化することが可能であり、穀物の乾燥と貯蔵において省エネルギーを図ることができる。
【００２０】
【発明の効果】
本発明によれば、収穫した穀物の乾燥と貯蔵とを一貫したものとしてとらえ、長期間にわたる貯蔵中において太陽熱の効果的利用による加温乾燥を継続することにより、貯蔵前の乾燥を省力化して大幅な省エネルギーを実現するとともに、穀物を所定の水分に保ち、品質を損なうことなく長期間にわたって貯蔵することができる穀物の乾燥貯蔵装置が得られる。
【図面の簡単な説明】
【図１】  穀物の乾燥貯蔵装置の概略縦断面図である。
【図２】  図１に示す穀物の乾燥貯蔵装置の一部詳細断面図である。
【図３】  図１に示す穀物の乾燥貯蔵装置の概略横断面図である。
【図４】  図３の一部詳細断面図である。
【図５】  図１に示す穀物の乾燥貯蔵装置において貯蔵ビンに取り入れる太陽熱をコントロールすることができるようにした形態を示す横断面図である。
【図６】  本発明に係る穀物の乾燥貯蔵装置の実施の形態を示す一部詳細縦断面図である。
【図７】  図６の他例を示す一部詳細縦断面図である。
【符号の説明】
１  貯蔵ビン
２  底壁
３  穀物流出口
４  穀物搬出コンベア
５  穀物貯留室
６  吸気室
７  支脚
８  穀物搬入口
９  穀物搬入樋
１０  吸引排風機
１１  穀物均分装置
１２  回転放擲板
１３  駆動モータ
１４  内壁
１５  外壁
１６  通気空間
１７  微細孔
１８  円弧状覆体
１９  暖気の滞留空間
【図１】
0003820512.tif 000002
【図２】
0003820512.tif 000003
【図３】
0003820512.tif 000004
【図４】
0003820512.tif 000005
【図５】
0003820512.tif 000006
【図６】
0003820512.tif 000007
【図７】
0003820512.tif 000008